(57)【要約】【課題】  遊技店設備の状況に拘らず、遊技者がパチンコ機に対座した状態のままで多種情報を手元で簡便に表示できるように構成した遊技機を提供する。【解決手段】  パチンコ機１は、遊技機本体に備えた遊技盤上に設けられた遊技領域７に遊技球を打ち出して遊技するように構成されている。このパチンコ機１は、遊技機本体に、少なくとも遊技に関する過去情報を表示する情報表示装置１１を備えている。これにより、遊技者がパチンコ機１に対座した状態のままで多種の過去情報を手元で簡便に表示して、台選びの目安にすることができる。【選択図】      図６
2005287870.tif 000002
【特許請求の範囲】
【請求項１】
遊技機本体に備えた遊技領域に遊技球を打ち出して遊技するように構成した遊技機において、
前記遊技機本体に情報表示装置を備え、
前記情報表示装置が、少なくとも遊技に関する過去情報を表示するように構成されることを特徴とする遊技機。
【請求項２】
前記情報表示装置が、前記遊技機本体の幅方向に延びる軸を中心として回動調節可能に支持されてなる、
ことを特徴とする請求項１に記載の遊技機。
【請求項３】
前記遊技機本体の前側に球皿を備え、かつ前記情報表示装置が前記球皿に一体に設けられてなる、
ことを特徴とする請求項１又は２に記載の遊技機。
【請求項４】
音声を発する音声出力手段を更に備え、かつ前記音声出力手段が、前記過去情報の表示時に当該表示される過去情報に関する報知を行ってなる、
ことを特徴とする請求項１ないし３のうち何れか１項に記載の遊技機。
【発明の詳細な説明】
【技術分野】
【０００１】
本発明は、パチンコ機等の遊技機に関し、特に、過去情報を表示し得るように改善した遊技機に関する。
【背景技術】
【０００２】
一般に、遊技機、例えばパチンコ機として、球皿に停留している遊技球（以下、単に「球」とも言う）が、発射ハンドルの操作に応じて遊技盤上に打ち出された後、遊技盤面上の障害釘や風車等に導かれつつ盤面を流下して、各種入賞具に入賞し、或いは入賞せずに遊技盤下部のアウト口に流入するように構成されたものが知られている（例えば、特許文献１参照）。
【０００３】
このようなパチンコ機では、一般入賞具に入賞した際にそれに対応した個数の遊技球が払い出され、またスタートチャッカーに入賞した際にはこれに基づいて大当り抽選が行われると共に所定数の遊技球が払い出され、当該抽選の結果に応じて、遊技盤の中央部分に設けられた液晶等からなる特別図柄表示画面上で所定の演出表示が行われる。大当りの発生時には、アタッカーと呼ばれる大入賞具が開放し、入賞に対応して多量の遊技球が払い出される状態となる。
【０００４】
【特許文献１】特開２００３−２３６２１０号公報
【発明の開示】
【発明が解決しようとする課題】
【０００５】
ところで、上述したような従来のパチンコ機（台）を配備した遊技店では、台情報を表示するものとして、島設備に配置された島表示器が知られているが、このような島表示器によると、遊技者がパチンコ機に対座した状態のままで情報を確認することができず、不便さを余儀なくされていた。
【０００６】
また、島設備に列状に配置されたパチンコ機同士の間に台間球貸し機（所謂サンド）が設置されている状況が一般的であるが、その場合、各台間球貸し機にその左右一側に位置するパチンコ機に対応する表示器を設け、パチンコ機に対座した遊技者が、着座状態のままで当該表示器を操作することにより所望の情報を得ることができるようにしたシステムも存在する。しかし、このようなシステムでは、台間球貸し機への表示器設置が義務づけられている訳ではなく、従って、遊技店によって表示器を設置していない場合には、遊技者はやはり着座状態のままで所望の情報を得ることはできず、不便さは改善されない。
【０００７】
そこで本発明は、遊技店設備の状況に拘らず、遊技者がパチンコ機に対座した状態のままで多種情報を手元で簡便に表示できるように構成し、もって上述した課題を解決した遊技機を提供することを目的とするものである。
【課題を解決するための手段】
【０００８】
請求項１に係る本発明は（例えば図１ないし図９参照）、遊技機本体（２，３）に備えた遊技領域（７）に遊技球を打ち出して遊技するように構成した遊技機（１）において、
前記遊技機本体（２，３）に情報表示装置（１１）を備え、
前記情報表示装置（１１）が、少なくとも遊技に関する過去情報を表示するように構成されることを特徴とする遊技機（１）にある。
【０００９】
本発明における上記「過去情報」は、全出玉（球）数の表示（本日、昨日、一昨日等）、スランプグラフの表示（回転数と出玉（球）数のグラフ）、或いは、最高出玉の表示などの情報を意味する概念である。
【００１０】
請求項２に係る本発明は（例えば図１、図３ないし図６参照）、前記情報表示装置（１１）が、前記遊技機本体（２，３）の幅方向に延びる軸（１２ａ）を中心として回動調節可能に支持されてなる、
ことを特徴とする請求項１に記載の遊技機（１）にある。
【００１１】
なお、本発明における「幅方向」は、遊技機本体に対面した状態での左右方向を意味する概念である。
【００１２】
請求項３に係る本発明は（例えば図１、図３ないし図６参照）、前記遊技機本体（２，３）の前側に球皿（１３）を備え、かつ前記情報表示装置（１１）が前記球皿（１３）に一体に設けられてなる、
ことを特徴とする請求項１又は２に記載の遊技機（１）にある。
【００１３】
請求項４に係る本発明は（例えば図１、図３及び図７参照）、音声を発する音声出力手段（８Ａ）を更に備え、かつ前記音声出力手段（８Ａ）が、前記過去情報の表示時に当該表示される過去情報に関する報知を行ってなる、
ことを特徴とする請求項１ないし３のうち何れか１項に記載の遊技機（１）にある。
【００１４】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１５】
請求項１に係る本発明によると、少なくとも遊技に関する過去情報を表示する情報表示装置を遊技機本体に備えるので、遊技店設備の状況に拘らず、遊技者がパチンコ機に対座した状態のままで多種の過去情報を手元で簡便に表示し、当該パチンコ機の遊技状況の良否を確認するなどして、他のパチンコ機に移動した方が良いかなど、台選びの目安として便利に活用することができる。
【００１６】
請求項２に係る本発明によると、情報表示装置が、遊技機本体の幅方向に延びる軸を中心として回動調節可能に支持されるので、パチンコ機に対座している遊技者や、遊技店内を移動しながら台選び（パチンコ機選別）をしている遊技者にとって最も見やすい位置に簡単に回動させることができ、視認性を向上させることができる。
【００１７】
請求項３に係る本発明によると、情報表示装置が遊技機本体前面の球皿に一体に設けられているので、遊技者、特に着座している遊技者にとっての操作性及び視認性を大幅に向上させることができる。
【００１８】
請求項４に係る本発明によると、音声出力手段が、過去情報の表示時に当該表示される過去情報に関する報知を音声で行うので、過去情報の遊技者に対する理解度を高めることができる。
【発明を実施するための最良の形態】
【００１９】
以下、本発明の好ましい実施形態について、好適な実施例を挙げて添付図面を参照しながら詳細に説明する。なお本実施例では、従来のパチンコ機における所謂上球皿と下球皿とを一体にした形状に形成された球皿形態のパチンコ機に本発明を適用した場合を主として説明する。
【００２０】
まず、パチンコ機１の概要構成を図１及び図２を参照して要約説明する。ここで、図１はパチンコ機１のガラス扉５、球皿１３を開放した状態におけるパチンコ機１の正面図、図２はパチンコ機１の背面構造を示す背面図である。
【００２１】
パチンコ機１は外郭方形枠サイズに構成されて縦向きの固定保持枠をなす外枠２の開口前面に、これに合わせた方形枠サイズに構成されて開閉搭載用の前枠３が互いの正面左側上下に配設されたヒンジ機構１０３ａ，１０３ｂで横開き開閉及び着脱が可能に取り付けられ、正面右側に設けられたダブル錠と称される施錠装置１０４を利用して常には外枠２と係合された閉鎖状態に保持される。
【００２２】
前枠３の前面側には、前枠３の前面域に合わせた方形状のガラス扉５及び球皿１３が正面左側に設けられたヒンジ機構１０７ａ，１０７ｂ，１０７ｃで横開き開閉及び着脱が可能に取り付けられ、正面右側に設けられた施錠装置１０４及び球皿施錠装置を利用して前枠３の前面を覆う閉鎖状態に保持される。そして、ガラス扉上部には、スピーカを有する放音装置８Ｂが取り付けられている。球皿１３の右側下部には遊技球の発射操作を行う発射ハンドル９が取り付けられている。前枠３の上部には方形枠状の収容部１０１が前枠３と一体に成型されており、この収容部１０１に遊技盤固定装置１０２を利用して遊技盤１００が着脱可能に立設保持される。
【００２３】
遊技盤１００は、所定板厚の積層合板の表面にセルを貼り付け、これを所定形状にルーター加工した化粧板（「ベニヤ」とも称される）を基板として構成される。化粧板の前面側には、上下２分割のレール飾り１２２，１２３がビス止めされてその内側に略円形の遊技領域７が区画形成され、この遊技領域７に多数本の遊技釘とともに風車やゲート６、各種入賞具（２連入賞具４、始動入賞具２６、大入賞具１０）、遊技の進行状況に応じて所定の図柄を表示させる画像表示装置２１などの遊技構成部品が取り付けられ、遊技領域７の下端部には入賞具に入賞せずに落下した遊技球を遊技盤１００の裏面側に排出させるアウト口１２７が設けられている。
【００２４】
また、球皿１３の背後に位置する前枠３の下部領域には遊技補助盤１０５と称される補助機構部が形成されており、この遊技補助盤の各部に、発射ハンドル９の回動操作に基づいて遊技盤１００に遊技球を打ち出す遊技球発射装置１５や、遊技の展開状態に応じて効果音を発生させるスピーカ２５を有する放音装置８Ａなどが設けられている。
【００２５】
前枠３の裏面側には、中央に前後連通する窓口１５０を有して前枠３よりもやや小型の方形枠状に形成された裏セット盤１０８が、前枠３の裏面に設けられた複数のレバーＬ，Ｌ…を利用して着脱可能にセット保持される。裏セット盤１０８の各部には、遊技島に設置してある球貯留装置からの予備賞球を貯留する予備賞球貯留タンク２７と、予備賞球貯留タンク２７から供給された予備賞球を落下移動させつつ整列させるタンクレール１２２、球圧を軽減して予備賞球を下方に流下させる整列待機通路１３３、遊技盤１００における入賞状態に基づいてタンクレール１２２を通って予備賞球貯留タンク２７から供給される予備賞球を賞球として球皿１３に払い出す球払出装置３２、球払出装置３２から払い出された賞球を球皿１３の皿部に導く賞球通路１３５、各種制御装置、電子部品に電力を供給する電源ユニット３３、パチンコ機１の作動を統括的に制御する主制御装置３０、画像表示装置２１の裏側に位置して画像表示、効果音等の演出、効果ランプ等の表示制御を行うサブ制御装置３１、球払出装置を制御する払出制御装置３８、発射強度や発射タイミングを制御する発射制御装置３５、外部端子板２８等が図のように配設されている。なお、図示していないが、遊技中において遊技盤１００の入賞具に入賞することなく落下してアウト口１２７に入り込んだ遊技球をパチンコ機１の背面側に導くアウト球通路が設けられている。このアウト球通路に導かれたアウト球はパチンコ機の背面に開口したアウト球排出口１４４から球回収空間に排出され、遊技島に設けられた回収通路上を転がって、回収される。
【００２６】
パチンコ機１は、前枠３、ガラス扉５及び球皿１３がともに閉止され施錠された状態で遊技に供され、球皿１３に遊技球を貯留させて発射ハンドル９を回動操作することにより遊技が開始される。発射ハンドル９が回動操作されると、球皿１３に貯留された遊技球が１球ずつ遊技球発射装置１５に送り出され、遊技球発射装置１５のハンマにより遊技盤１００の遊技領域７に打ち出されて、以降パチンコゲームが展開される。
【００２７】
本パチンコ機１は、１種と称されるパチンコ機を例示したものであり、始動入賞具２６に入賞した際、主制御装置３０（図７参照）に備えた抽選手段（図示せず）による当り抽選が行われると共に、画像表示装置２１が始動する。抽選結果により、所謂確率変動等の大当りが発生し、大当たり状態では大入賞具１０に入賞した遊技球に対応する数の遊技球を払い出すように構成されている。上記確率変動（確変当り）とは、遊技領域７上の始動入賞具２６（図１参照）への入賞時に行われる抽選の結果、確変モードの大当りが当選したとき、少なくとも当該確変モードによる遊技状態において次なる大当りを引くまでの間、遊技者に有利な付加価値を付与し得る特殊状態を意味する。これに対し、当該特殊状態にならない大当りとして「通常当り」がある。
【００２８】
以上のように概要構成されるパチンコ機１にあって、情報表示装置１１が球皿１３に配設されている。以下、図３〜図９の各図を参照しながら説明する。ここで、図３は球皿を拡大して示す正面図、図４は球皿を拡大して示す平面図、図５は球皿及び情報表示装置をパチンコ機上下方向で縦断面した状態を示す断面図、図６は図５における情報表示装置を前方に回動させた状態で示す断面図、図７は本パチンコ機の制御系を示すブロック図、図８は情報表示装置に表示される各種情報を示す図、図９は情報表示装置に表示される各種情報を示す図である。
【００２９】
球皿１３は、図５によく示されているように、横長長方形の板材で構成された当て板２３と、遊技球を貯留する皿体１９と、皿体１９の前面側に位置する外装体１４とから構成される。
【００３０】
図３に示すように、球皿１３には情報表示装置１１が一体に設けられている。つまり、球皿１３の外装体１４の前側壁面１４ａ中央部に、情報表示装置１１が配置されている。この前側壁面１４ａには、上部下部を縁部１４ｂ，１４ｄで、かつ左右を縁部１４ｃで区画された開口部が形成されている。この開口部には、情報表示装置１１の表示パネル１１ａが、左右上部を回動軸１２ａを介して回動自在に支持され、かつ若干の隙間をあけた形で嵌め込まれている。
【００３１】
また、情報表示装置１１の上方には演出用照明装置３６が配置され、かつ情報表示装置１１の左方には、球皿１３上の遊技球を発射装置１５付近から球排出経路２０２を通って球皿下部の球排出口２０１を通して下方に排出するための第１球抜きボタン２２ａが配置されている。球皿１３における情報表示装置１１の下方には、遊技球を球皿１３の中央部分の球抜き口２１１から上記球排出口２０１を通して下方に排出するための第２球抜きボタン２２ｂが配置されており、該球抜きボタン２２ｂを操作することによって球抜き弁２１２が開放するようになっている。該球抜きボタン２２ｂの左右には放音装置８Ａが配置され、かつ該放音装置８Ａの左右には、灰皿２４及び発射ハンドル９が配置されている。
【００３２】
ここで、本発明の特徴である上記情報表示装置１１についてその構成を更に詳細に説明する。すなわち、図３及び図４に示すように、情報表示装置１１は、遊技機本体の幅方向に延びる回動軸１２ａを中心として回動調節可能に支持されている。左右の回動軸１２ａは、表示パネル１１ａの左右上部に一端部を夫々固定され、かつ他端部を、左右の縁部１４ｃ上方に埋め込まれた回動軸保持部材１２によって回動自在に支持されている。なお、上記「幅方向」は、遊技機本体に対面した状態での左右方向を意味する概念である。また、外枠２、並びに遊技盤１００、ガラス扉５及び球皿１３等を含む前枠３によって上記「遊技機本体」が構成されている。
【００３３】
上記回動軸保持部材１２は、回動軸１２ａに対し所定の負荷を与えつつ回動支持するもので、図５に示すように、上記開口部の下方の縁部１４ｄから下方に若干量突出する表示パネル１１ａの下端部が、遊技者の指で球皿１３の前方（図６の矢印Ａ方向）に引き出されそして適宜の角度で解放されたとき、図６に示すように、当該解放された回動位置に表示パネル１１ａを保持し得るように構成されている。また回動軸保持部材１２は、表示パネル１１ａが図６の状態から球皿１３の後方（図６の矢印Ａと反対方向）に押し込まれたとき、図５に示すように、この表示パネル１１ａを回動初期位置に復帰させる。
【００３４】
なお、図５及び図６中の符号１７は、電気接続用のハーネス１８を介して情報表示装置１１をサブ制御装置３１側に接続するプラグ・コネクタであり、符号２３は当て板である。
【００３５】
表示パネル１１ａは、液晶やドットマトリックス等から構成されるもので、少なくとも遊技に関する過去情報を表示する。この過去情報とは、例えば、全出玉数の表示（本日、昨日、一昨日等）、スランプグラフの表示（回転数と出玉数のグラフ）、或いは、最高出玉の表示などの情報を意味するものである。即ち、このような過去情報及びそれ以外の情報として、図８及び図９におけるＡ〜Ｐに示すものを挙げることができる。
【００３６】
つまり、Ａとして「全出玉数の表示（本日、昨日、一昨日等や、個人データとの切換えもあり）」を、Ｂとして「スランプグラフの表示（回転数と出玉数のグラフ）」を、Ｃとして「最高出玉の表示（名前の登録も可能）」を、Ｄとして「大当り確率の表示（実績値）＊総回転数と大当り数による」を、Ｅとして「通常・確変図柄の初当り回数表示」を、Ｆとして「エラー表示の機能＊タンク球無し、ＣＲユニット未接続、ドア（ガラス扉や前枠）開放などを集約し、エラー状況を画像と音声で説明する」を、Ｇとして「画面表示のＯＮ・ＯＦＦ切換（省エネ、遊技者の好み）」を、Ｈとして「遊技説明の表示＊デジタルパンフの役目＊遊技板（遊技盤）と遊技機の遊技・操作説明」を、夫々挙げることができる。
【００３７】
また、Ｉとして「リーチ説明の表示＊デジタルパンフの役目（上記の項目Ｈとは異なる内容）」を、Ｊとして「リーチ履歴の表示＊何Ｇ（ゲーム）前に、大当り予告によるリーチがかかったか、その時の当り・ハズレの結果はどうだったか」を、Ｋとして「機械ごとのリーチ別大当り率の表示（実績値）＊この台（パチンコ機）の大当り予告は今日は１００％当たってる！など」を、Ｌとして「遊技機のどのボタンを操作するのかを案内表示」を、Ｍとして「発射出力の表示（ＭａｘとＭｉｎからの変位を表示）」を、Ｎとして「発射が止まります、球を抜いて下さい、などの画像と音声の表示」を、Ｏとして「球貸し・返却の操作」を、Ｐとして「球貸しの残度数表示」を、夫々挙げることができる。
【００３８】
そして、情報表示装置１１では、上述した放音装置８Ａを、音声を発する音声出力手段として機能させ得るように構成されており、音声出力手段として機能する際の放音装置８Ａは、過去情報及びそれ以外の情報（図８及び図９参照）の表示時に、当該表示される情報に関する内容の報知（放音）を行う。なお、表示パネル１１ａには、放音装置８Ａによる情報報知時の音量を調節するための操作ボタン部がタッチパネル方式で表示されるが、この操作ボタン部を、球皿１３の外装体１４の適宜の位置に機械的構成で設けることもできる。
【００３９】
次に、本実施形態におけるパチンコ機１の制御系を図７に沿って説明する。すなわち、本制御系は、主制御装置３０と、この主制御装置３０に接続されたサブ制御装置３１とを有している。主制御装置３０は、本パチンコ機１の動作全体を管理するものであり、当該パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）とを備えている。
【００４０】
サブ制御装置３１は情報表示制御手段２９を有しており、当該サブ制御装置３１には、発射装置１５、放音装置８（８Ａ，８Ｂ）、演出用照明装置２３、画像表示装置２１、及び情報表示装置１１が接続されている。当該サブ制御装置３１は、主制御装置３０中の上記マイクロプロセッサから供給される演出制御信号に従って、実装された電気回路からなる適宜の手段が放音装置８、演出用照明装置２３及び画像表示装置２１を適時駆動して、遊技者の視覚及び聴覚に訴える演出表示を行うように機能する。
【００４１】
放音装置８、演出用照明装置２３及び画像表示装置２１は、サブ制御装置３１による制御に応答して、通常時の演出や大当り時における特別な演出を、音や光等によって行う。また、遊技球発射装置１５は、発射ハンドル９の操作時、サブ制御装置３１による制御に基づいて遊技球の発射動作を行う。
【００４２】
情報表示制御手段２９は、情報表示装置１１の表示パネル１１ａ上に、タッチセンサに対応する操作ボタン等の画面表示を行ってタッチパネルモニタを構成し、かつ表示パネル１１ａ上に表示した操作ボタン類の所定操作に応答して、操作に対応する過去情報やその他の情報を表示すると共に、この表示時に当該表示される情報に関する報知を音声で行うべく放音装置８Ａを制御する。
【００４３】
したがって、本実施形態におけるパチンコ機１では、球皿１３上に遊技球が滞留している状態にて、遊技者が発射ハンドル９を握って適宜の角度回動させて保持すると、発射装置１５の作動によって遊技球が遊技領域７に向けて打ち出され、パチンコゲームが展開される。
【００４４】
そして例えば、遊技者が遊技しながら、或いは遊技を一旦停止した状態で、全出玉数などの過去情報やそれ以外の情報を表示パネル１１ａ上で見ようとする場合、遊技者は、外装体１４の縁部１４ｄ（図５参照）から下方に突出している表示パネル下端部に指を掛けて球皿前方に引く。これにより、表示パネル１１ａは、回動軸１２ａが回動軸保持部材１２に対して回動することで図６矢印Ａ方向に引き出され、かつ適宜の角度で解放されたとき、当該解放された回動位置に保持される。この状態で、画面表示されている所望の操作ボタン部を遊技者が接触操作すると、情報表示制御手段２９が、操作された操作ボタン部に対応する過去情報やその他の情報を表示パネル１１ａ上に表示すると共に、放音装置８Ａを制御してその対応する内容を音声で報知するように制御する。
【００４５】
そして、表示パネル１１ａに表示された過去情報等を確認した後、遊技者が、図６の状態の球皿１３を後方（図６の矢印Ａと反対方向）に押し込むと、表示パネル１１ａは図５に示すように回動初期位置に復帰する。なお、これらの操作は、着座している遊技者による場合に限らず、台選びで移動している遊技者が着座することなく個々のパチンコ機１に対して行う場合も、同様に行われる。また、表示パネル１１ａを、球皿１３の前方に回動させた状態のままで所定時間（例えば、５〜１０分）が経過した際、自動的に回動初期位置に向けて回動させるように構成することも可能である。或いは、情報表示装置１１に角度調整タッチスイッチを設け、このタッチスイッチの操作で表示パネル１１ａを自動的に昇降作動させ得るように構成することも可能である。
【００４６】
以上の本実施形態では、少なくとも遊技に関する過去情報を表示する情報表示装置１１を遊技機本体に備えるので、遊技店設備の状況に拘らず、遊技者がパチンコ機１に対座した状態のままで多種の過去情報やそれ以外の情報を手元で簡便に表示し、当該パチンコ機１の遊技状況の良否を確認するなどして、他のパチンコ機に移動した方が良いかなど、台選びの目安として便利に活用することができる。
【００４７】
そして、情報表示装置１１が、遊技機本体の幅方向に延びる回動軸１２ａを中心として回動調節可能に支持されるので、パチンコ機１に対座している遊技者や、遊技店内を移動しながら台選び（パチンコ機選別）をしている遊技者にとって最も見やすい位置に簡単に回動させることができ、視認性を向上させることができる。
【００４８】
また、情報表示装置１１が遊技機本体前面の球皿１３に一体に設けられているので、遊技者、特に着座している遊技者にとっての操作性及び視認性を大幅に向上させることができる。更に、情報表示制御手段２９の制御に基づき、放音装置８Ａが、過去情報やそれ以外の情報の表示時に当該表示される情報に関する報知を音声で行うので、過去情報の遊技者に対する理解度を高めることができる。
【００４９】
なお、本実施形態では、上球皿、下球皿が一体式の球皿１３を例示したが、このような構成に限らず、上球皿、下球皿を分離させた形態においても本発明の実施が可能であることは勿論である。
【００５０】
以上、本発明をその好適な実施の形態に基づいて説明したが、本発明の遊技機は、上記実施形態（実施例）の構成にのみ限定されるものではなく、上記実施形態（実施例）の構成から種々の修正及び変更を施した遊技機も、本発明の範囲に含まれる。
【図面の簡単な説明】
【００５１】
【図１】ガラス扉、球皿を開放した状態におけるパチンコ機を示す正面図である。
【図２】パチンコ機の背面構造を示す背面図である。
【図３】球皿を拡大して示す正面図である。
【図４】球皿を拡大して示す平面図である。
【図５】球皿及び情報表示装置をパチンコ機上下方向で縦断面した状態を示す断面図である。
【図６】図５における情報表示装置を前方に回動させた状態で示す断面図である。
【図７】本パチンコ機の制御系を示すブロック図である。
【図８】情報表示装置に表示される各種情報を示す図である。
【図９】情報表示装置に表示される各種情報を示す図である。
【符号の説明】
【００５２】
１…パチンコ機（遊技機）
７…遊技領域
８Ａ…放音装置（音声出力手段）
１１…情報表示装置
１２ａ…回動軸（軸）
１３…皿ユニット（球皿）
２９…情報表示制御手段
【図１】
2005287870.tif 000003
【図２】
2005287870.tif 000004
【図３】
2005287870.tif 000005
【図４】
2005287870.tif 000006
【図５】
2005287870.tif 000007
【図６】
2005287870.tif 000008
【図７】
2005287870.tif 000009
【図８】
2005287870.tif 000010
【図９】
2005287870.tif 000011